(57)【要約】本発明は、ケーシング（１０）に配置された駆動モータ（１２）と、少なくとも１つの調整装置（１４，１６）とを備えた工作機械、特に手持ち式工作機械であって、前記調整装置を介して駆動モータ（１２）及び／又は伝動装置の少なくとも１つの特性量が所定の運転段階の間永続的に調整可能である形式のものから出発する。調整装置（１４，１６）がリセットユニット（１８，２０）を有しており、該リセットユニットが前記調整装置（１４，１６）を少なくとも１つの運転パラメータに関連して出発位置にリセットすることが提案される。
2004507368.tif 000002
【特許請求の範囲】
【請求項１】
ケーシング（１０）に配置された駆動モータ（１２）と、少なくとも１つの調整装置（１４，１６）とを備えた工作機械、特に手持ち式工作機械であって、前記調整装置を介して駆動モータ（１２）及び／又は伝動装置の少なくとも１つの特性量が所定の運転段階の間永続的に調整可能である形式のものにおいて、
調整装置（１４，１６）がリセットユニット（１８，２０）を有しており、該リセットユニットが前記調整装置（１４，１６）を少なくとも１つの運転パラメータに関連して出発位置にリセットすることを特徴とする、工作機械、特に手持ち式工作機械。
【請求項２】
調整装置（１４，１６）を介して、特性量として最大及び／又は最小回転数が調整可能である、請求項１記載の工作機械。
【請求項３】
調整装置を介して、特性量として最大及び／又は最小発生トルクが調整可能である、請求項１又は２記載の工作機械。
【請求項４】
リセットユニット（２０）が停止時間に関連して調整装置（１６）をリセットする、請求項１から３までのいずれか１項記載の工作機械。
【請求項５】
どの位の停止時間でリセットユニット（２０）が調整装置（１６）をリセットするのかをリセットユニット（２０）において調整可能である、請求項４記載の工作機械。
【請求項６】
停止時間が１〜２０分である、請求項４又は５記載の工作機械。
【請求項７】
電力供給中断時にリセットユニット（１８，２０）が調整装置（１４，１６）をリセットする、請求項１から６までのいずれか１項記載の工作機械。
【請求項８】
リセットユニットが調整装置を検出された温度値に関連してリセットする、請求項１から７までのいずれか１項記載の工作機械。
【請求項９】
リセットユニット（１８）が機械的なリセット機構を有している、請求項１から８までのいずれか１項記載の工作機械。
【請求項１０】
リセット機構が緊縮されたばね部材（２２）を介して調整装置（１４）をリセットする、請求項９記載の工作機械。
【請求項１１】
リセットユニット（１８）が電磁式の作動部材（２４）を有している、請求項１から１０までのいずれか１項記載の工作機械。
【請求項１２】
特性量を調整するための調整装置（１６）が、リセットユニット（２０）を介してリセット可能な少なくとも１つの電子機器ユニット（２６）を有している、請求項１から８までのいずれか１項記載の工作機械。
【発明の詳細な説明】
【０００１】
背景技術
本発明は、請求項１の上位概念に記載の形式の工作機械、特に手持ち式工作機械から出発する。
【０００２】
大抵の工作機械、特に手持ち式工作機械に関して、駆動モータの駆動回転数を変化させられるということは有利である。手持ち式工作機械の場合、駆動回転数を制御ユニットを介してできるだけ負荷とは無関係に一定に保つこと、又は調整装置を介して駆動回転数を可変に調整することが知られている。
【０００３】
調整用に作業員にはしばしば、回転数を永続的に調整するか、若しくは最大値に制限することのできる調整ホイールが提供される。この調整ホイールは、スイッチボタンに設けられたポテンショモータと組み合わされていてもよく、これにより、調整ホイールはボタン範囲の上限を規定する。
【０００４】
調整ホイールにより、例えば回転数を加工過程又は加工しようとする材料に合わせることができる。作業員は、例えば鋸断、研削等に際して作業中、工作物において一定に保持され得る回転数を予め選択することができる。
【０００５】
発明の利点
本発明は、ケーシングに配置された駆動モータと、少なくとも１つの調整装置とが設けられており、該調整装置を介して駆動モータ及び／又は伝動装置の少なくとも１つの特性量が、所定の運転段階の間永続的に調整可能である工作機械、特に手持ち式工作機械から出発する。
【０００６】
調整装置が、該調整装置を少なくとも１つの運転パラメータに関連して出発位置にリセットする、リセットユニットを有していることを提案する。特に、工作機械が複数の人によって使用される場合に、操作ミスを確実に防止することができる。工作機械は、前記リセットユニットによって有利には常に標準運転状態に戻すことができ、この標準運転状態から、各作業員は工作機械を慣例の方法でそれぞれの特別な用途に調整することができる。当該用途に不適切な特別な調整を新たな作業員が見落とすということが確実に防止される。工作機械に応じて、出発位置において当該工作機械が最大限に可能な特性量で運転可能であり、次いで該特性量が調整装置によって減少可能であるか、出発位置において工作機械が最小に調整された特性量で運転可能であり、該特性量から安全上の理由で常に調整を開始しようとするか、又は出発位置において工作機械が最大特性量と最小特性量との間に位置する特性量で運転可能であるということが有利であってよい。
【０００７】
工作機械では、有利な加工のためにはしばしば工具の回転数が重要なので、調整装置を介して、つまり駆動機械及び／又は場合によっては伝動装置をも介して直接に、特性量として有利には最大回転数が調整可能である。最大回転数の他に、原則として調整装置を介して、例えば所定の使用目的で下回るべきでない最小回転数を規定することもが有利であってもよい。
【０００８】
回転数の他に、例えば挽回し鋸又は偏心研削盤等では、当業者が有利だと思う別の特性量、特に最小及び／又は最大発生トルク及び／又は加工ストローク等が調整装置を介して調整可能に構成されていてもよい。
【０００９】
本発明の別の構成では、リセットユニットが停止時間に関連して調整装置をリセットすることが提案される。構造的に簡単に、機能に適合したリセットが達成され得る。
【００１０】
どの位の停止時間でリセットユニットが調整装置をリセットするのかが、リセットユニットにおいて調整可能であると、工作機械は更に種々様々な使用分野に調整可能であり且つ不都合なリセットを確実に防止することができる。この場合、停止時間は有利には１〜２０分である。
【００１１】
更に別の構成では、例えば電源コネクタを引き抜いた場合又はアキュムレータの交換時等の電力供給中断に際して、リセットユニットが調整装置をリセットするということが提案される。作業員交代前は、特に手持ち式工作機械の電源コネクタがしばしば引き抜かれるか、若しくは電力供給が中断されるので、作業員交代は特に高い確率で検出され得る。
【００１２】
更に、当業者が有利と思う別の運転パラメータが考えられ、これらの運転パラメータ、例えば温度値に関連して、リセットユニットが調整装置をリセットする。工作機械が冷却されたらすぐに、例えばバイメタルエレメントが係止結合を解離することによって調整装置をリセットすることができ、且つ／又は例えば過負荷状態で規定された温度を越えると、調整装置がリセットされ得る。
【００１３】
特に緊縮されたばね部材によって、構造的に簡単且つ廉価に機械的なリセット機構が実現され得る。前記ばね部材は、例えば接続・遮断器に結合されており且つ工作機械の遮断時に解離される係止機構を介して、運転中その位置を保持される。
【００１４】
リセットユニットが電磁式の作動部材を有している場合、例えば電力が供給されているときは電磁石が直接に又は係止機構を介して、調整装置のリセット部に設けられた戻しばねを妨害することにより、リセット動作を有利には簡単に電力供給と結びつけることができる。電力供給が中断されて電磁石の保持力が解除されると、戻しばねが調整装置をリセットする。前記の電磁式の作動部材は、機械的な戻しばねの他に当業者が有利と思う、例えば電気的なアクチュエータ及び／又は液圧式のアクチュエータ等の別の機構と組み合わされていてもよい。
【００１５】
更に別の構成では、特性量を調整するための調整装置が、リセットユニットを介してリセット可能な少なくとも１つの電子機器ユニットを有しているということが提案される。リセット動作は、有利には電磁式ユニットの場合と同様に電力供給と結びつけることができる。更に、当該電子機器ユニットは、特にスペース節約型で軽量且つ廉価に実現され得る。例えば調整ホイール等の操作部材の機械的なリセットが有利には回避され得る。
【００１６】
本発明による構成は、当業者が有利だと思う様々な工作機械、例えば手持ち式ドリル、打撃式ドリル、ドリルハンマ及び／又は破つりハンマ、ドライバ、アングルグラインダ、偏心研削機、鋸、かんな等の、特に頻繁に複数の作業員によって使用される手持ち式工作機械において特に使用され得る。
【００１７】
実施例の説明
以下に、本発明の実施例を図面につき詳しく説明する。
【００１８】
図１には、ケーシング１０内に配置された電動モータ１２を備えた手持ち式ドリルが示されている。この手持ち式ドリルはスイッチ２８によって接続及び遮断可能である。回転数を調整するために、前記手持ち式ドリルは、回転数を規定された値に調整することのできる、調整ホイール３０を備えた調整装置１４を有している。前記スイッチには、例えば回転数を０から調整ホイールによって予め選択される最終値まで変化させることのできるポテンショメータが装備されていてもよい。
【００１９】
本発明では、調整装置１４はリセットユニット１８を有しており、このリセットユニット１８は電力供給が中断されると直ちに、調整装置１４を運転パラメータに関連して出発位置へ戻す（図２）。調整ホイール３０は、ケーシング部分３４に軸３２を以て回転可能に支承されており、この軸３２を介してポテンショメータ（詳しくは図示せず）が回転可能である。軸３２は、ケーシング部分３４において調整ホイール３０に向かう軸方向では当該軸３２に固定された歯車３６を介して位置固定されており且つ該歯車３６に向かう軸方向では調整ホイール３０に設けられたフランジ３８を介して位置固定されている。このフランジ３８にはコイルばね２２が配置されており、このコイルばね２２は第１の脚部４２を以て回転方向で形状接続的に、調整ホイール３０に固定された２本のピン４４，４６の間に係合し且つ第２の脚部４８を以て形状接続的に、ケーシング部分３４に固定された２本のピン５０，５２の間に係合している。
【００２０】
手持ち式ドリルが電源コネクタ及び電源ケーブル（詳しくは図示せず）を介して電力供給部に接続されると、電磁石２４が給電されてプランジャ５４を歯車３６の歯溝へ押しずらす。スイッチボタン２８によって最大に調整可能な回転数を規定された値に制限するために調整ホイール３０が回転されると、プランジャ５４は歯車３６における係止位置若しくは歯溝から電磁石２４の磁力に抗して摺動されてよい。歯車３６の歯溝がプランジャ５４と重なって位置すると、このプランジャ５４が電磁石２４の磁力によって歯溝へ押しずらされる。調整ホイール３０は、歯車３６の歯溝によって規定された段に調整可能である。所望の段若しくは所望の回転数制限が得られると、調整ホイール３０及びポテンショメータは、軸３２、歯車３６及び該歯車３６の歯溝に係合している電磁石２４のプランジャ５４を介して位置固定される。調整ホイール３０の調整時には、コイルばね２２が緊縮される。
【００２１】
所定の運転段階の後で電源コネクタが抜かれて電磁石２４への電力供給が中断されると、プランジャ５４はコイルばね２２を介して歯車３６の歯溝から押し出されてよい。コイルばね２２は調整ホイール３０とポテンショメータとを出発位置へリセットし、回転数制限は解除されるので、スイッチボタン２８を介して手持ち式ドリルを最大限に可能な回転数で運転させることができる。プランジャ５４を備えた電磁石２４及び歯車３６は、有利には調整ホイール３０の調整範囲を段階付け、調整ホイール３０を所定の運転段階の間係止し且つ有利なリセット機構を実現するために使用される。
【００２２】
図３には、調整ホイール５６を備えた択一的な調整装置１６が示されている。ほぼ同一の構成部材には原則的に同一符号が付されている。更に、同じ構成及び機能に関しては、図１及び図２に示した実施例の説明を参照されたい。
【００２３】
調整ホイール５６はパルス発生器５８を介して、目標値を回転数制御装置６０に設定する電子制御ユニット２６に接続されている。但し、パルス発生器の代わりにエンドレスポテンショメータも可能である。手持ち式ドリルが電源コネクタ及び電源ケーブルを備えた電源部分６２を介して電力供給部に接続されると、制御ユニット２６は導線６４を介してスイッチ２８の操作とは無関係に給電される。次いで、電動モータ１２の回転数が調整ホイール５６によって規定された値に調整可能である。調整された回転数はディスプレイ６６を介して表示される。調整ホイール５６の１回転方向で調整限界に達した場合、調整ホイール５６は回転数調整を変えること無く、引き続き回転可能である。
【００２４】
電源コネクタが抜かれて、制御ユニット２６の電力供給が中断されるか、又は規定された停止時間に達した場合、つまり、手持ち式ドリルが規定された時間作動しないと、制御ユニット２６に設けられたリセットユニット２０が制御ユニットを出発位置にリセットし、予め選択された回転数は解除されるので、手持ち式ドリルは最大限に可能な回転数で作動可能である。制御ユニット２６がリセットユニット２０を介してリセットされる停止時間は、調整ホイール４０を介して２〜２０分に調整可能である。
【００２５】
調整ホイールの代わりに、当業者が有利だと思う、例えばスイッチレバー、１つ又は複数の操作ボタン等の回転数制限を調整するための操作部材が考えられる。
【図面の簡単な説明】
【図１】
手持ち式工作機械の概略図である。
【図２】
電磁式リセットユニットを備えた調整ホイールを示した図である。
【図３】
電子制御ユニットを備えた調整ホイールを示した図である。
【符号の説明】
１０　ケーシング、　１２　駆動モータ、　１４，１６　調整装置、　１８，２０　リセットユニット、　２２　コイルばね、　２４　電磁石、　２６　電子機器ユニット、　２８　スイッチ、　３０，４０，５６　調整ホイール、　３２　軸、　３４　ケーシング部分、　３６　歯車、　３８　フランジ、　４２，４８　脚部、　４４，４６，５０，５２　ピン、　５４　プランジャ、　５８　パルス発生器、　６０　回転数制御装置、　６２　電源部分、　６４　導線、　６６　ディスプレイ
【国際公開パンフレット】
2004507368.tif 000003
2004507368.tif 000004
2004507368.tif 000005
2004507368.tif 000006
2004507368.tif 000007
2004507368.tif 000008
2004507368.tif 000009
2004507368.tif 000010
2004507368.tif 000011
2004507368.tif 000012
2004507368.tif 000013
2004507368.tif 000014
2004507368.tif 000015
2004507368.tif 000016
2004507368.tif 000017
2004507368.tif 000018
2004507368.tif 000019
2004507368.tif 000020
【国際調査報告】
2004507368.tif 000021
2004507368.tif 000022
2004507368.tif 000023
2004507368.tif 000024